(57)【要約】【課題】光源を複数備える光照射装置であって、１の光源が故障したときにも、対象物を均一に照明することのできる光照射装置を提供する。【解決手段】複数の光源Ｌを備える光源ユニット４３において、各光源の照射範囲（例えばＷ１）内において、両隣の光源の照射範囲（Ｗ２及びＷ３）が、接触するように配されている。そして、光源Ｌ１が発光しなくなったときには、光源Ｌ２及び光源Ｌ３からの光量を大きくすることによって、光源Ｌ１の照射範囲を、光源Ｌ２及びＬ３が光源Ｌ１に代わって照明する。【選択図】図４
2009109909.tif 000002
【特許請求の範囲】
【請求項１】
光を対象物に照射する光照射装置であって、
複数の光源を備え、上記光源は、上記対象物上において、１の光源からの光の照射範囲と上記１の光源の隣に配される光源からの光の照射範囲とが重なるように並べられる光源ユニットと、
いずれかの光源の光量が低下すると、上記複数の光源のうち、光量が低下した光源から１つおきに光源の光量を低減し、他の光源の光量を増大させる制御部と、
を備える光照射装置。
【請求項２】
上記光源は、上記対象物上において、１の光源からの光の照射範囲内で、上記１の光源を挟むように配された２つの光源からの光の照射範囲が互いに接触するように配される請求項１に記載の光照射装置。
【請求項３】
上記光源は、一方向に沿って並べられると共に、上記対象物上で、１の光源からの光の照射範囲の一部分が、上記１の光源の隣の光源からの光の照射範囲に重なり、他の部分が、上記１の光源の逆隣の光源の光の照射範囲に重なるように配される請求項１又は２に記載の光照射装置。
【請求項４】
上記光量制御部は、光量が低下した上記光源から離れるに従って、各光源の光量の変化量を小さくするようになっている、請求項１〜３のいずれか１項に記載の光照射装置。
【請求項５】
上記光量制御部は、光量の低下した光源から１つおきに光源を消灯し、他の光源の光量を２倍に増大させるようになっている請求項１〜３のいずれか１項に記載の光照射装置。
【請求項６】
上記光源はＬＥＤである請求項１〜５のいずれか１項に記載の光照射装置。
【請求項７】
請求項１〜６のいずれか１項に記載の光照射装置を、原稿に光を照射するための光照射部として備え、
さらに、上記原稿からの反射光から画像を読み取る読取部を備える画像読取装置。
【請求項８】
請求項１〜６のいずれか１項に記載の光照射装置を、感光体上に光により画像を描く露光部として備える露光装置。
【発明の詳細な説明】
【技術分野】
【０００１】
本発明は、特に、画像読取装置及び露光装置に適用可能な光照射装置等に関する。
【背景技術】
【０００２】
従来、画像読取装置において、原稿を照明する光源として、複数のＬＥＤを並べた構成が提案されている。
【特許文献１】特開２００５年‐５１３８１号（2005年2月24日公開）
【発明の開示】
【発明が解決しようとする課題】
【０００３】
画像読取装置に限らず、複数の光源により対象物に光を照射する光照射装置において、複数の光源（ＬＥＤ等）が正常に発光しなくなり、光量が低下すること（発光しなくなることを含む）がある。このような光源の不具合としては、長時間に渡る使用又はその他の原因が考えられる。このように、複数の光源のいずれかの光量が低下すると、他の光源が正常に稼動していても、原稿上に照明されない箇所が生じる。その結果、画像読取装置においては、精確に画像を読み取ることができないという不具合が発生する。
【０００４】
そこで、本発明は、複数の光源のうち、いずれかの光量が低下したときに、従来の装置よりも対象物に対して均一に光を照射することのできる光照射装置、並びにこの光照射装置を採用した画像読取装置及び露光装置を提供することを目的とする。
【課題を解決するための手段】
【０００５】
上記課題を解決するために、請求項１の発明は、光を対象物に照射する光照射装置であって、複数の光源を備え、上記光源は、上記対象物上において、１の光源からの光の照射範囲と上記１の光源の隣に配される光源からの光の照射範囲とが重なるように並べられる光源ユニットと、いずれかの光源の光量が低下すると、上記複数の光源のうち、光量が低下した光源から１つおきに光源の光量を低減し、他の光源の光量を増大させる制御部と、を備える。
【０００６】
この光照射装置によると、「他の光源」には、光量の低下した光源の隣の光源が含まれる。それゆえ、１の光源の光量の低下を、隣の光源からの光によって補うことができる。そして、さらに隣の光源については光量が低減され、そのさらに隣の光源については光量が増加される、というように、交互に光源の光量が増減されるので、光量の変化が平均化され、結果として、対象物に対してより均一に光を照射することができる。
【０００７】
また、請求項２に記載するように、請求項１の光照射装置において、上記光源は、上記対象物上において、１の光源からの光の照射範囲内で、上記１の光源を挟むように配された２つの光源からの光の照射範囲が互いに接触するように配されることが好ましい。
【０００８】
請求項２の構成によると、１の光源の光の照射範囲内において、上記１の光源を挟むように配された２つの光源の照射範囲同士の間に、隙間が生じない。よって、１の光源の光量が低下したときに、上記２つの光源により、１の光源の照射範囲をより隙間無く光を照射することができる。
【０００９】
また、請求項３に記載するように、請求項１又は２の光照射装置において、上記光源は、一方向に沿って並べられると共に、上記対象物上で、１の光源からの光の照射範囲の一部分が、上記１の光源の隣の光源からの光の照射範囲に重なり、他の部分が、上記１の光源の逆隣の光源の光の照射範囲に重なるように配されることが好ましい。
【００１０】
請求項３の構成によると、１の光源からの光の照射範囲全体が、両隣の光源からの光の照射範囲のいずれかに重なるようになっている。よって、１の光源からの光量が低下したときに、両隣の光源からの光によって、１の光源からの光の照射範囲全体の光量を補うことができる。
【００１１】
また、請求項４に記載するように、請求項１〜３のいずれか１項の光照射装置において、上記光量制御部は、光量が低下した上記光源から離れるに従って、各光源の光量の変化量を小さくするようになっていてもよい。
【００１２】
また、請求項５に記載するように、請求項１〜３のいずれか１項の光照射装置において、上記光量制御部は、光量の低下した光源から１つおきに光源を消灯し、他の光源の光量を２倍に増大させるようになっていてもよい。
【００１３】
また、請求項６に記載するように、請求項１〜５のいずれか１項に記載の光照射装置において、上記光源はＬＥＤであってもよい。
【００１４】
また、請求項７に記載するように、請求項１〜６のいずれか１項に記載の光照射装置は、上記原稿からの反射光から画像を読み取る読取部を備える画像読取装置において、原稿に光を照射するための光照射部に適用可能である。
【００１５】
また、請求項８に記載するように、請求項１〜６のいずれか１項に記載の光照射装置は、感光体に対して用いられる露光装置において、感光体上に光により画像を描く露光部に適用可能である。
【発明の効果】
【００１６】
本発明の光照射装置によると、１の光源の光量が低下したときに、光量の変化を平均化することができるので、対象物に対してより均一に光を照射することができる。
【発明を実施するための最良の形態】
【００１７】
〔１〕第１実施形態
本発明の実施の一形態について、図面を参照して以下に説明する。なお、以下の実施形態では、光照射装置を複写機に適用しているが、本発明はこれに限定されるものではない。
【００１８】
＜１．複写機１の概要＞
図１は本実施形態の複写機１の外観を示す斜視図である。
【００１９】
図１に示すように、複写機１は、原稿（図２等に原稿Ｍとして示す）を搬送する原稿搬送装置２と、本体部３とを備える。本体部３は、原稿Ｍから画像を読み取る画像読取部４、及び画像読取部４が読み取った画像等を用紙上に印刷する画像形成部５等を備える。
【００２０】
原稿搬送装置２は、原稿を画像読取部４に対して移動させるための装置であり、本体３の上方に配される。原稿搬送装置２は、ハウジング２０、原稿を載置するための原稿載置トレイ２１、及び読み取りが終わった原稿を受け取る原稿排出トレイ２３を備えると共に、ハウジング２０の内部に設けられ、原稿載置トレイ２１上の原稿を原稿排出トレイ２３まで搬送する原稿搬送部２２等を備える。原稿搬送部２２の詳細については後述する。
【００２１】
本体３は、画像読取部４及び画像形成部５に加えて、用紙を載置するための手差しトレイ３１、用紙を収容する用紙カセット３２、画像形成後の用紙が排出される用紙排出トレイ３３、ユーザからの指示を受け付けたりユーザに種々の情報を提示したりする操作パネル３４等を備える。また、本体３は、原稿搬送装置２に対向する面に、第一プラテンガラス３５、及び第二プラテンガラス３６を備える。上述の原稿搬送装置２のハウジング２０は、第一プラテンガラス３５上に原稿を押し付ける原稿押さえとしても機能する。
【００２２】
画像読取部４の詳細については後述する。
【００２３】
画像形成部５としては、電子写真方式又はインクジェット方式等の印刷機構を適宜採用することができる。本実施形態では、画像形成部５として、特に電子写真方式を採用するものとする。画像形成部５の詳細については後述する。
【００２４】
＜２．原稿搬送部２２＞
図２に、原稿搬送装置２及び画像読取部４の概要を表す正面図を示す。
【００２５】
図２に示すように、原稿搬送部２２は、複数のローラからなる原稿搬送ローラ群２２ａと、原稿押圧部２２ｂとを備える。原稿搬送ローラ群２２ａは、原稿載置トレイ２１から原稿Ｍを一枚ずつ引き出し、第二プラテンガラス３６上を経て原稿排出トレイ２３へと排出する。原稿押圧部２２ｂは、画像読取部４が第二プラテンガラス３６を介して原稿Ｍの一方の面（以下、表面と称する）から画像を読み取れるように、原稿搬送ローラ群２２ａによって搬送される原稿Ｍを第二プラテンガラス３６に押し付ける。
【００２６】
＜３．画像読取装置４＞
図２に示すように、画像読取部４は、原稿搬送装置２２によって搬送中又は第一プラテンガラス３５上に載置された原稿Ｍ上の画像を読み取るようになっている。具体的には、画像読取部４は、第一プラテンガラス３５に平行に配されたレール４１、及びレール４１上を矢印方向に移動可能なキャリッジ４２、キャリッジ４２を移動させるキャリッジ駆動部（図示せず）によって等を備える。レール４１に垂直かつ第一プラテンガラス３５に平行な方向を主走査方向、レール４１に平行な方向を副走査方向と呼ぶ。
【００２７】
キャリッジ４２内の構成について、図３を参照してより具体的に説明する。図３は副走査方向に平行な平面におけるキャリッジ４２の断面図である。
【００２８】
図３に示すように、画像読取部４は、キャリッジ４２内に、光源ユニット４３、ミラー群４４、集光レンズ４６、及びＣＣＤ（ＣＣＤイメージセンサ）４７等を備える。
【００２９】
光源ユニット４３は第一プラテンガラス３５及び第二プラテンガラス３６を介して原稿Ｍの表面に光を照射する。図４等を参照して後述するように、光源ユニット４３は、主走査方向に沿って複数の光源が並べられた構成となっている。
【００３０】
図３に示すように、ミラー群４４はミラー４４ａ〜４４ｃ等の複数のミラーを備え、原稿Ｍからの反射光をミラー４４ａ〜４４ｂで順次反射して、集光レンズ４６に導く。反射光は集光レンズ４６によってＣＣＤ４７に集められる。ＣＣＤ４７は受けた光をアナログの電気信号に変換する。なお、ＣＣＤ４７はイメージセンサの一例に過ぎず、ＣＭＯＳイメージセンサ等の他のイメージセンサに置換可能である。
【００３１】
第一プラテンガラス３５上の原稿から画像を読み取るときは、キャリッジ４２が副走査方向に移動することで原稿Ｍの全面が走査される。また、原稿搬送装置２２で搬送される原稿の表面の画像を読み取るときは、キャリッジ４２は第二プラテンガラス３６に対向する位置に静止し、上述の原稿搬送部２２によって原稿Ｍがキャリッジ４２に対して移動されることによって、副走査方向における走査が行われる。
【００３２】
＜４．光源ユニット４３＞
光源ユニット４３は、複数の光源を備える。光源は、隣り合う光源の光が、光源ユニット４３が光を照射する対象（図３では原稿Ｍ）上で、互いに重なり合うように配置される。光源ユニット４３の構成の具体例を以下に挙げる。
【００３３】
図４を参照して、光源ユニット４３の構成の一例について説明する。図４は光源ユニット４３の要部構成を示す図面であり、副走査方向から光源ユニット４３を見た正面図である。
【００３４】
図４に示すように、光源ユニット４３は、複数の光源Ｌを備えており、これらの光源Ｌは主走査方向（図４における横方向）に沿って並べられている。光源の数は具体的な数値に限定されるものではなく、例えば、原稿Ｍを、主走査方向における幅に渡って照明できるように設定され得る。なお、また、光源Ｌとして、本例ではＬＥＤを用いるものとするが、これ以外に、キセノンランプ等の各種ランプを好適に用いることができる。
【００３５】
図４に示すように、主走査方向において、原稿Ｍ上での各光源Ｌからの光２００の照射範囲は、隣り合う光源Ｌからの光２００と重なり合うようになっている。特に、本例では、主走査方向において、原稿Ｍ上での１の光源Ｌの照射範囲内で、両隣の光源Ｌの照射範囲が重なっている。
【００３６】
光源Ｌのうちの１つを第１光源Ｌ１とし、光源Ｌ１の隣の光源を第２光源Ｌ２、及び第１光源Ｌ１に対して第２光源Ｌ２とは逆隣の第３光源Ｌ３を例に挙げると、第１光源Ｌ１の原稿Ｍ上での光２００の照射範囲（原稿Ｍ上において光の当たる範囲の主走査方向における幅）である第１範囲Ｗ１内で、光源Ｌ２の照射範囲である第２範囲Ｗ２と光源Ｌ３の照射範囲である第３範囲Ｗ３とが接触するようになっている。つまり、第１範囲Ｗ１は、主走査方向において、その一部が第２範囲Ｗ２と重なり、他の部分が第３範囲Ｗ３と重なっている。言い換えると、第１範囲Ｗ１は、第２範囲Ｗ２又は第３範囲Ｗ３のいずれかに含まれるようになっている。なお、第１範囲Ｗ１のうち、第２範囲Ｗ２が重なる範囲と第３範囲Ｗ３が重なる範囲との割合は特に限定されるものではないが、例えば、１／２程度ずつとすることができる。
【００３７】
また、第２範囲Ｗ２と第３範囲Ｗ３とが「接触する」とは、第２範囲Ｗ２と第３範囲Ｗ３とが重なる場合、及び、重ならずに所謂「接する」状態となっている場合を含む。これらの二つの範囲が重なる場合は、重なる量は特に限定されるものではない。いずれにしても、第２範囲Ｗ２と第３範囲Ｗ３との境界線は、第１範囲Ｗ１内に配されているといえる。
【００３８】
例えば、光源ＬがＬＥＤである場合は、各光源Ｌの照射範囲は、ＬＥＤの有するレンズの設計により適宜調整可能である。
【００３９】
表１に、各光源Ｌからの光量と、単位面積当たりの光量とを示す。
【００４０】
【表１】
2009109909.tif 000003
表１の第１段の数値は、一列に並べられた複数の光源Ｌのうち、各光源が列の一端から何番目に当たるかを示す番号である。表１では、説明の便宜上、一部（２０〜２６番）の光源Ｌのみを記載する。
【００４１】
また、第２段はこの番号が偶数である光源Ｌの光量を、第３段はこの番号が奇数である光源Ｌの光量を示す。第２段及び第３段に示すように、通常、全ての光源Ｌからの光量は同一（表１中では「１００」とする。）であるとする。なお、表１及び後述の表２〜表４等において、第２段〜第４段に示す光量は、各実施例の比較に用いる相対的な値であるので、単位は付さない。
【００４２】
第４段は、原稿Ｍ上における単位面積当たりの光量を示す。ここでは、各光源Ｌからの光量が１００であり、互いに隣り合う２つの光源からの光が原稿Ｍ上で重なるので、説明の便宜上、単位面積当たりの光量を「２００」とする。第４段に示すように、原稿Ｍは、光源ユニット４３により均一に照明される。
【００４３】
＜５．画像形成部５＞
図５を参照して、画像形成部５について説明する。図５は、画像形成部５及びその周辺の要部構成を示す正面図である。
【００４４】
図５に示すように、画像形成部５は、回転可能に設けられた円柱状の感光体ドラム１０を備えると共に、感光体ドラム１０の回転方向（図５中に矢印で示す）に沿って、感光体ドラム１０を一様に帯電させる帯電装置１１、帯電した感光体ドラム１０に光を照射することで感光体ドラム１０上に静電潜像を描く露光装置１２、静電潜像を現像剤で現像してトナー像を形成する現像装置１３、トナー像が用紙に転写された後に感光体ドラム１０を除電する除電装置１４、及び、転写後も感光体ドラム１０上に残るトナーを除去するクリーニング装置１５等を備える。なお、複写機１は、複数の画像形成部５、特に複数の現像装置１３を備える構成であってもよい。また、本実施形態では、現像剤としてトナーとキャリアとを含む２成分現像剤を用いるが、これ以外にも、１成分及びその他の現像剤を適宜用いることができる。
【００４５】
複写機１は、さらに、感光体ドラム１０上のトナー像を用紙へ転写する転写部６１、転写後の用紙に熱圧着によりトナー像を定着させる定着装置６２、及び、手差しトレイ３１又は用紙カセット３２から、転写部６１、定着装置６２を経て、用紙排出トレイ３３に至るまで、用紙を搬送する用紙搬送部７を備える。なお、転写部６１は、感光体ドラム１０の回転方向において、現像装置１３より下流、除電装置１４より上流で、トナー像を感光体ドラム１０から用紙へ転写するようになっている。
【００４６】
＜６．動作＞
次に、複写機１の動作、特に画像読取時の照射光の調整について説明する。
【００４７】
（6-1）制御機構
図６は、複写機１の構成のうち、特に、画像の読取及び露光に関する構成を示すブロック図である。
【００４８】
図６に示すように、複写機１は、上述した構成の他に、ＣＰＵ８１、ＲＯＭ８２、ＲＡＭ８３、及び記憶装置８４等をさらに備える。複写機１内の各部はバス８５によって接続されている。ＣＰＵ８１は、複写機１内の各部の動作を制御する制御装置として機能したり、各種演算を行ったりすることができる。ＣＰＵ８１の制御装置としての機能は、ＣＰＵ８１が、ＲＯＭ８２等の記録媒体内に記憶されたプログラムを読み出し、実行することによって実現される。ＲＡＭ８３は、ＣＰＵの作業領域として機能したり、画像データ等の情報を一時的に記憶したりすることができる。なお、図６では、ＣＰＵ８１の制御下で動作するブロックとして、特に、操作パネル３４、画像読取部４、画像形成部５の露光装置１２を示す。
【００４９】
図６に示すように、画像読取部４は読取光源駆動部４ａを備える。図７は、読取光源駆動４ａの制御に関する信号の流れを表す図面である。
【００５０】
図７に示すように、読取光源駆動部４ａは、Ｄ／Ａコンバータ４８及び光源ドライブ回路４９を備える。また、複写機１は画像読取動作を画像読取部４に実行させる読取制御部８１１、読取光源駆動部４ａを制御することによって光源Ｌからの光量を調整する光量制御部８１２、及び、光源Ｌにおける故障の発生の有無を判断する故障判断部８１３を備える。読取制御部８１１、光量制御部８１２、及び故障判断部８１３は、ＣＰＵ８１を用いてソフトウェアによって実現可能である。読取制御部８１１、光量制御部８１２、及び故障判断部８１３の具体的な機能については、図９〜図１１等を参照して後述する。
【００５１】
Ｄ／Ａコンバータ４８は、読取制御部８１１及び光量制御部８１２からの制御信号であるデジタル信号を、アナログ信号に変換する。このアナログ信号に基づいて、光源ドライブ４９が光源Ｌを発光させる。
【００５２】
このように照射された光は、上述したように原稿Ｍに反射し、ＣＣＤ４７により検知される。ＣＣＤ４７から出力される画像信号の流れを図８に示す。
【００５３】
図８に示すように、画像読取部４は、ＣＣＤ４７の他に、ＡＦＥ（アナログフロントエンド）７１及び画像処理回路７２等を備える。ＡＦＥ７１は、ＣＣＤ４７からの画像信号をデジタル化する。具体的にはＡＦＥ７１は、ＣＤＳ(相関二重サンプリング)、ＡＧＣ（ゲインコントロールアンプ回路）、及びＡＤＣ（Ａ／Ｄコンバータ）等を備える。デジタル化された画像信号は、画像処理回路７２を経て、ＲＡＭ８３等の記憶媒体に記憶され、画像形成部５による画像形成に用いられる。
【００５４】
（6-2）画像読取
さらに図９〜図１１を参照して、画像読取動作について、光源Ｌの光量調整を中心に説明する。図９は画像読取時の複写機１の動作の流れを示すフローチャートであり、図１０は図９のフロー中の光量調整ステップＳ２の一例を示すフローチャートであり、図１１は光量調整ステップＳ２の他の例を示すフローチャートである。
【００５５】
操作パネル３４を介して画像読取の指示（複写実行の指示を含む）を受けると、読取制御部８１１は、読取光源駆動部４ａにより光源Ｌを発光させる。図９に示すように、光源Ｌのいずれかに故障が発生したとき（ステップＳ１）、光量制御部８１２は、各光源Ｌからの調整するようになっている（ステップＳ２）。そして、調整後の光量にて画像の読み取りが実行される（ステップＳ３）。
【００５６】
ステップＳ１の判断は、本実施形態では、光源ドライブ回路４９において個々の光源Ｌに対応する電流値等を参照することによって、故障判断部８１３により行われる。但し、故障判断部８１３は、故障を検知する構成の一例に過ぎない。例えば、故障を検知する構成としては、複写機１が光源Ｌからの光量を検知するセンサを備えており、故障判断部８１３が、このセンサ出力値を参照することによって、光源Ｌにおける故障の発生、及び故障した光源Ｌの位置を判断するという構成によっても実現される。
【００５７】
なお、本実施形態において、光源Ｌの「故障」とは、光源Ｌからの光量が所定の基準値と異なる値になることであり、光量が基準値より低下（全く発光しなくなる場合を含む）する場合、及び、逆に光量が異常に高くなる場合を含む。
【００５８】
光量制御部８１２は、ステップＳ２において、複数の光源Ｌのうち、光量が低下した光源Ｌから１つおきに光源Ｌの光量を低減し、他の光源Ｌの光量を増大させるようになっている。光量の調整は、電圧制御によって実現されてもよいし、ＰＷＭ（Pulse Width Modulation）によって実現されてもよい。光量制御部８１２は、１の光源が故障したときに限らず、複数の光源が故障したときも同様の調整を行うことができる。
【００５９】
上述したように、各光源の照射範囲が隣の光源の照射範囲と重複していることで、光量制御部８１２の光量調整により、故障が発生しても、故障した光源に代わって隣の光源が機能することで、原稿Ｍの読み取りが可能となる。
【００６０】
なお、ＣＰＵ８１の制御により、操作パネル３４がその表示部に、「光源に故障が発生しました」等の表示を行い、ユーザにサービスマンへの通知を促すことも可能である。但し、本実施形態によると、サービスマンによる修理を待つことなく、原稿Ｍから画像データを取得することができる。
【００６１】
光量制御部８１２の制御の具体例について、下記（6-2-1）及び（6-2-2）欄に述べる。なお、以下の例では、正常状態において、全ての光源Ｌの光量は、同一の初期設定値Ｑ１となっている。
【００６２】
（6-2-1）光量調整の第１例
本例では、光制御部８１２は、いずれかの光源Ｌが故障したときに、故障した光源から数えて奇数番目の光源の光量を増大させ、偶数番目の光源の光量を低減すると共に、故障した光源から離れるほど、光量の変化量を小さくするようになっている。
【００６３】
具体的には、図１０に示すように、故障した光源から数えてｉ番目の光源について、ｉが偶数であれば（Ｓ１３でＹｅｓ）、この光源の光量Ｑを、
Ｑ＝（０．１×ｉ／２）Ｑ１    （１）
とする（ステップＳ１４）。
【００６４】
一方、ｉが奇数であれば（Ｓ１３でＮｏ）、故障した光源から数えてｉ番目の光源の光量Ｑを、
Ｑ＝{２−０．１×（ｉ＋１）／２}×Ｑ１    （２）
とする（ステップＳ１５）。
【００６５】
以上の光量調整を、故障した光源から１番目、２番目、・・・１９番目の光源まで行う（ステップＳ１７でＮｏ→ステップＳ１８→ステップＳ１２→Ｓ１３）。
【００６６】
故障した光源から２０番目以降の光源については、光量Ｑを初期設定値Ｑ１のまま維持する（ステップＳ１２→ステップＳ１６）。
【００６７】
全ての光源について、以上の調整が終了すれば、光量制御部８１２は光量調整を終了し、読取制御部８１１により、読取が実行される（Ｓ１７でＹｅｓ→Ｓ３）。
【００６８】
つまり、本例においては、故障した光源から離れるほど、光量の変化量が１０％ずつ小さくされる。ステップＳ１２の判断の基準となる数値は、本例では「２０」であるが、これは光量の変化量が１０％に設定されているからであり、変化量に合わせて、この判断の基準となる数値も適宜変更可能である。
【００６９】
［実施例１］
第１例について、より具体的に実施例を示して説明する。表２に、本実施例において、表１に示す２３番の光源が故障したときの、各光源の光量及び原稿Ｍにおける単位面積当たりの光量を示す。表２の第１段には、各光源の位置を示す番号と共に、各光源が故障した光源から数えて何番目に当たるかを括弧書きで示す。
【００７０】
【表２】
2009109909.tif 000004
表２に示すように、２３番の光源が故障し、光量がゼロとなったとすると（第３段）、２２番及び２４番の光源の光量は、９０％増加されて「１９０」となる（第２段、ステップＳ１５、上記式（２））。その結果、２３番の光源の照射範囲における光量は「１９０」となり、光量の変動は、元の光量「２００」から５％と小さく押さえられる。
【００７１】
また、２１番及び２５番の光源の光量は、９０％減少されて「１０」となる（第３段、ステップＳ１４、上記式（１））。よって、２１番の光源と２２番の光源との光が重なる部分、及び２４番の光源と２５番の光源との光が重なる部分では、単位面積当たりの光量は「２００」となる。
【００７２】
ステップＳ１４及びＳ１５の処理によって、表２に示すように、２３番の光源から離れるほど光量の変化率は１０％ずつ小さくなり、初期設定値である「１００」に近づく。そして、原稿Ｍ上での単位面積当たりの光量は、「１９０」又は「２００」となり、原稿Ｍはほぼ均一に照明される。すなわち、一部の光源の故障が原稿Ｍ上での光量に与える影響は、ＣＣＤ４７による検知に影響を与えない程度に小さく抑えられる。
【００７３】
（6-2-2）光量調整の第２例
本例では、故障した光源から数えて奇数番目の光源Ｌの光量をそれぞれ同一量増大させ、偶数番目の光源の光量をそれぞれ同一量減少させるようになっている。
【００７４】
具体的には、上述の図１０のフローからステップＳ１２及びＳ１６を除いて、ステップＳ１４を「故障した光源から数えてｉ番目の光量Ｑを（Ｑ１−ａ）に設定」に、ステップＳ１５を「故障した光源から数えてｉ番目の光量Ｑを（Ｑ１＋ａ）に設定」に変更すればよい。
【００７５】
また、図１１のフローによる制御によっても、同様の結果を得ることができる。
【００７６】
すなわち、光量制御部８１２は、故障した光源の番号（光源ユニット４３内での位置を示す番号。表１の第１段の数字）が奇数であれば（ステップＳ２１でＹｅｓ）、故障した光源と同様に番号が奇数である光源（故障した光源から数えて偶数番目の光源）については、光量を所定量低減し（Ｓ２２）、偶数番号の光源（故障した光源から数えて奇数番目の光源）については、光量を所定量増大させる（Ｓ２３）。
【００７７】
一方、故障した光源の番号が偶数であれば（ステップＳ２１でＮｏ）、番号が奇数である光源（故障した光源から数えて奇数番目の光源）の光量を所定量増大させ（Ｓ２４）、番号が偶数である光源（故障した光源から数えて偶数番目の光源）の光量を所定量低減させる（Ｓ２５）。
【００７８】
ここで、ステップＳ２２〜Ｓ２５の「所定量」とは、上述の「ａ」に相当し、全て同一の値とすることができる。また、「所定量」とは、初期設定値Ｑ１と同一とすることもできる。つまり、ステップＳ２３及びステップＳ２４において、故障した光源から数えて奇数番目の光源の光量を２倍にし、ステップＳ２２及びＳ２５において、故障した光源から数えて偶数番目の光量をゼロにしてもよい。
【００７９】
［実施例２］
第２例について、より具体的に実施例を示して説明する。表３に、本実施例において、表１に示す２３番の光源が故障したときの、各光源の光量及び原稿Ｍにおける単位面積当たりの光量を示す。
【００８０】
【表３】
2009109909.tif 000005
本実施例では、ステップＳ２２〜Ｓ２５の「所定量」が「９０」と設定されている。
【００８１】
故障した光源の番号が奇数であるので、表３に示すように、番号（表３の第１段、括弧書きが付されていない数字）が同じく奇数である光源については、光量を「９０」減じて、「１０」とする。
【００８２】
一方、番号が偶数である光源については、光量を「９０」増大させて、「１９０」とする。
【００８３】
その結果、表３の第４段に示すように、原稿Ｍ上のいずれの箇所においても、光量は「１９０」又は「２００」となり、一部の光源の故障が原稿Ｍ上での光量に与える影響は、ＣＣＤ４７による検知に影響を与えない程度に小さく抑えられる。
【００８４】
［実施例３］
第２例について、他の実施例を挙げて説明する。表４に、本実施例において、表１に示す２３番の光源が故障したときの、各光源の光量及び原稿Ｍにおける単位面積当たりの光量を示す。
【００８５】
【表４】
2009109909.tif 000006
本実施例では、ステップＳ２２〜Ｓ２５の「所定量」が「１００」と設定されている。つまり、光量は２倍か又はゼロとされる。
【００８６】
故障した光源の番号が奇数であるので、表４に示すように、番号（表４の第１段、括弧書きが付されていない数字）が同じく奇数である光源については、光量を「０」とする。
【００８７】
一方、番号が偶数である光源については、光量を２倍して「２００」とする。
【００８８】
その結果、図１の第４段に示すように、原稿Ｍ上のいずれの箇所においても、光量は「２００」となり、原稿Ｍは均一に照明される。
【００８９】
なお、実施例１〜３では、故障した光源の光量はゼロとしているが、上述したように「故障」とは光源が発光しなくなる場合に限定されるものではないので、光量制御部８１２は、ある光源について、光量が基準値から外れ、かつある程度の光量で発光しているときには、その光源を消灯するステップを、ステップＳ１とステップＳ１１との間、又はステップＳ１とステップＳ２１との間に行ってもよい。また、ある光源の光量が基準値よりも小さくなったときには、その光源を点灯させると共に、その光源の光量と基準値との差異を補うように、両隣の光源の光量を増大させればよい。いずれの場合であっても、結果的に故障の発生した光源については基準値よりも光量が低下することになる。
【００９０】
（6-2-3）比較例
表５に、比較例における各光源の光量と原稿Ｍにおける単位面積当たりの光量を示す。
【００９１】
【表５】
2009109909.tif 000007
本比較例においては、各光源は、照射範囲が重ならないように配置されている。各光源の光量の初期設定値を「２００」とすると、全ての光源が正常に機能している場合は、原稿Ｍの単位面積当たりの光量は、表１の例と同等となる。
【００９２】
ところが、ここで２３番の光源が故障して全く発光しなくなると、２３番の光源の照射範囲には光が照射されない。その結果、この範囲については画像が精確に検出されない。
【００９３】
＜７．露光装置１２の制御＞
露光装置１２も、光源ユニット４３と同様に、複数の光源を備えていてもよい。この場合、図４において、原稿Ｍが感光体ドラム１０に置き換えられる。
【００９４】
また、図６の露光光源駆動部１２ａとしては、図７に示す読取光源駆動部４ａと同様の構成を好適に適用することができる。
【００９５】
〔２〕その他の実施形態
（2-1）光源Ｌの配置
光源は、図４の光源Ｌのように一方向に、つまり一列に並べられていてもよいし、行方向及び列方向に、いわばマトリックス状に並べられていてもよい。マトリックス状に並べられている場合は、一方向に並べられた光源の集合と考えられるので、故障時の光量の制御は、上記（6-2）欄で説明した方法と同様の方法により行われる。
【００９６】
なお、上述の「一方向に沿って」とは、光源が直線状に並べられている形態、及び、千鳥状に並べられている形態を含む。また、上述の第１実施形態では、１のＬＥＤが１の光源として機能するものとしたが、これ以外にも、複数のＬＥＤが１の光源として機能するようになっていてもよい。
【００９７】
また、第１実施形態では、原稿Ｍ上にて、２つの光源からの光が重なるようになっている。しかし、これ以外にも、対象物上において３つ以上の光源からの光が重なるようになっていてもよいし、１の対象物上の位置によって、光の重なる数が異なっていてもよい。
【００９８】
（2-2）光照射装置の利用
第１実施形態では、光照射装置を画像読取部４及び露光装置１２に適用したが、上記＜４．＞欄及び上記（2-1）欄等に説明したように配された複数の光源、並びに光量制御部８１２等を備える光照射装置は、他の用途に用いることができる。異なる用途に用いても、この光照射装置は、対象物を均一に照明することができるという効果を奏することができる。
【００９９】
以上、異なる実施形態又は実施例として述べた技術を適宜組み合わせて得られる技術についても、本発明の技術的範囲に含まれる。
【産業上の利用可能性】
【０１００】
本発明の光照射装置は、画像読取装置における原稿照明機構、及び、画像形成装置における露光装置に好適に用いられる。
【図面の簡単な説明】
【０１０１】
【図１】本発明の実施の一形態に係る複写機１の外観を示す斜視図である。
【図２】複写機１の原稿搬送装置２及び画像読取部４の概要を表す正面図である。
【図３】副走査方向に平行な平面におけるキャリッジ４２の断面図である。
【図４】光源ユニット４３の要部構成を示す正面図である。
【図５】画像形成部５及びその周辺の要部構成を示す正面図である。
【図６】画像の読取及び露光に関する構成を示すブロック図である。
【図７】読取光源駆動４ａの制御に関する信号の流れを表す図面である。
【図８】ＣＣＤ４７から出力される画像信号の流れを表す図面である。
【図９】画像読取時の複写機１の動作の流れを示すフローチャートである。
【図１０】図９のフロー中の光量調整ステップＳ２の一例を示すフローチャートである。
【図１１】図９のフロー中の光量調整ステップＳ２の他の例を示すフローチャートである。
【符号の説明】
【０１０２】
１    複写機１
４    画像読取部
４３  光源ユニット
Ｌ    光源
５    画像形成部
１２  露光装置
８１１  読取制御部
８１２  光量制御部（制御部）
８１３  故障判断部
【図１】
2009109909.tif 000008
【図２】
2009109909.tif 000009
【図３】
2009109909.tif 000010
【図４】
2009109909.tif 000011
【図５】
2009109909.tif 000012
【図６】
2009109909.tif 000013
【図７】
2009109909.tif 000014
【図８】
2009109909.tif 000015
【図９】
2009109909.tif 000016
【図１０】
2009109909.tif 000017
【図１１】
2009109909.tif 000018